(57)【要約】【課題】撮像素子における接着スペースが少なくても撮像素子とホルダとの間の接着強度を確保する。【解決手段】撮像素子１１のパッケージ１１０２の互いに対向する側面１１１０に接着剤充填用凹部１１１８を形成し、撮像素子１１をホルダ４６に設けられた一対の壁部４６０６の間にパッケージ１１０２の互いに対向する側面１１０２を臨ませて配置し、接着剤充填用凹部１１１８に充填された接着剤Ｓによりパッケージ１１０２の側面１１１０と一対の壁部４６０６とを接着することにより固定した。【選択図】        図２０
2006217310.tif 000002
【特許請求の範囲】
【請求項１】
光学系によって導かれる被写体像を撮像する撮像素子と該撮像素子を保持するホルダとを備える撮像素子ユニットであって、
前記撮像素子は、厚さ方向の両側に形成された表面および裏面を有し扁平状に形成されたパッケージと、前記被写体像を撮像する撮像面が前記パッケージの前記表面に位置するように前記パッケージに収容保持された撮像部とを備え、
前記パッケージは、前記表面および裏面を接続し互いに対向する側面を有し、
前記パッケージの互いに対向する側面には接着剤充填用凹部が形成され、
前記ホルダは、互いに対向する一対の壁部を有し、
前記撮像素子は前記一対の壁部の間に前記パッケージの互いに対向する側面を臨ませて配置され、前記接着剤充填用凹部に充填された接着剤により前記パッケージの側面と前記一対の壁部とが接着されることにより固定されている、
ことを特徴とする撮像素子ユニット。
【請求項２】
前記接着剤充填用凹部の一部は前記壁部に臨み残りの一部は前記壁部の外側に露出し、前記壁部は前記接着剤充填用凹部の残りの一部に臨み前記パッケージの厚さ方向と交差する方向に延在する壁面を有し、前記接着剤充填用凹部に充填された接着剤は、前記接着剤充填用凹部から前記壁面にわたって位置していることを特徴とする請求項１記載の撮像素子ユニット。
【請求項３】
前記接着剤充填用凹部は前記壁部の外側に露出し、前記壁部は前記接着剤充填用凹部に臨み前記パッケージの厚さ方向と交差する方向に延在する壁面を有し、前記接着剤充填用凹部に充填された接着剤は、前記接着剤充填用凹部から前記壁面にわたって位置していることを特徴とする請求項１記載の撮像素子ユニット。
【請求項４】
前記一対の壁部には切り欠きが設けられ、前記接着剤充填用凹部は前記切り欠きの内側に露出しており、前記接着剤充填用凹部に充填された接着剤は、前記接着剤充填用凹部から前記切り欠きを縁取る前記壁部の壁面にわたって位置していることを特徴とする請求項１記載の撮像素子ユニット。
【請求項５】
前記パッケージは、扁平な矩形板状を呈し、前記パッケージの互いに対向する側面は、前記パッケージの互いに対向する２組の側面のうちの１組の側面であり、前記接着剤充填用凹部は、前記１組の側面の延在方向に沿って連続状に延在形成されていることを特徴とする請求項１記載の撮像素子ユニット。
【請求項６】
前記ホルダは、前記撮像面を露出させる開口が設けられた本体部を備え、前記一対の壁部は、前記開口の両側の前記本体部箇所から突設されており、前記撮像素子は前記撮像面を前記開口に臨ませて配設されていることを特徴とする請求項１記載の撮像素子ユニット。
【請求項７】
前記接着剤充填用凹部は、前記パッケージの厚さ方向に延在する長さを有し、前記接着剤充填用凹部の長さ方向の両端のうち、少なくとも前記表面側に位置する端部に壁面が形成されることで前記接着剤充填用凹部の長さ方向の一端が閉塞されていることを特徴とする請求項６記載の撮像素子ユニット。
【請求項８】
前記ホルダは、前記撮像面を露出させる開口が設けられた本体部を備え、前記本体部は、その内側に前記開口が設けられた矩形枠状の板部を有し、前記一対の壁部は前記板部の背面から突設され、前記撮像素子は前記板部の背面において前記撮像面を前記開口に臨ませて配設されていることを特徴とする請求項１記載の撮像素子ユニット。
【請求項９】
鏡筒の内部に設けられ被写体像を導く光学系と、
前記光学系によって導かれる被写体像を撮像する撮像素子と該撮像素子を保持するホルダを有する撮像素子ユニットとを備えるレンズ鏡筒であって、
前記撮像素子は、厚さ方向の両側に形成された表面および裏面を有し扁平状に形成されたパッケージと、前記被写体像を撮像する撮像面が前記パッケージの前記表面に位置するように前記パッケージに収容保持された撮像部とを備え、
前記パッケージは、前記表面および裏面を接続し互いに対向する側面を有し、
前記パッケージの互いに対向する側面には接着剤充填用凹部が形成され、
前記ホルダは、互いに対向する一対の壁部を有し、
前記撮像素子は前記一対の壁部の間に前記パッケージの互いに対向する側面を臨ませて配置され、前記接着剤充填用凹部に充填された接着剤により前記パッケージの側面と前記一対の壁部とが接着されることにより固定されている、
ことを特徴とするレンズ鏡筒。
【請求項１０】
鏡筒の内部に設けられ被写体像を導く光学系と、撮像素子ユニットとを備え、
前記撮像素子ユニットは、前記光学系によって導かれる被写体像を撮像する撮像素子と、該撮像素子を保持するホルダとを含んで構成された撮像装置であって、
前記撮像素子は、厚さ方向の両側に形成された表面および裏面を有し扁平状に形成されたパッケージと、前記被写体像を撮像する撮像面が前記パッケージの前記表面に位置するように前記パッケージに収容保持された撮像部とを備え、
前記パッケージは、前記表面および裏面を接続し互いに対向する側面を有し、
前記パッケージの互いに対向する側面には接着剤充填用凹部が形成され、
前記ホルダは、互いに対向する一対の壁部を有し、
前記撮像素子は前記一対の壁部の間に前記パッケージの互いに対向する側面を臨ませて配置され、前記接着剤充填用凹部に充填された接着剤により前記パッケージの側面と前記一対の壁部とが接着されることにより固定されている、
ことを特徴とする撮像装置。
【発明の詳細な説明】
【技術分野】
【０００１】
本発明は撮像素子ユニット、レンズ鏡筒および撮像装置に関する。
【背景技術】
【０００２】
レンズ鏡筒に撮像素子を組み付けるに際して、撮像素子をコネクタに装着し、該コネクタを実装基板に実装することで撮像素子ユニットを構成しておき、この撮像素子ユニットをレンズ鏡筒に取り付けることが提案されている（特許文献１参照）。
このような撮像素子ユニットでは、撮像素子に位置決め基板を設け、該位置決め基板を実装基板にねじで締結することにより、撮像素子がコネクタから脱落しないように固定している。
しかしながらこのような構成では、部品点数が多く組み立て作業が繁雑となる問題があった。
このため、本出願人は、（特願２００３−３５６７９０号）に示すように、撮像素子を構成するパッケージをホルダに接着し、ホルダをレンズ鏡筒にねじなどで取り付ける構成を提案した。
この構成によれば、撮像素子をホルダを介して鏡筒に取り付けるため、構成の簡素化を図る上で有利である。
【特許文献１】特許公報第３１８７９２２号
【発明の開示】
【発明が解決しようとする課題】
【０００３】
しかしながら、上記構成では、撮像素子の小型化などにより撮像素子のパッケージの面積、言い換えると、パッケージの接着面積が少なくなると、撮像素子とホルダとの間の接着強度を確保する上で不利が生じ、撮像素子ユニット、レンズ鏡筒および撮像装置の小型化を図る上での不利が懸念される。
本発明はこのような事情に鑑みなされたものであり、その目的は、撮像素子における接着スペースが少なくても撮像素子とホルダとの間の接着強度を確保する上でまた撮像素子ユニット、レンズ鏡筒および撮像装置の小型化を図る上で有利な撮像素子ユニット、レンズ鏡筒および撮像装置を提供することにある。
【課題を解決するための手段】
【０００４】
上述の目的を達成するため、本発明は、光学系によって導かれる被写体像を撮像する撮像素子と該撮像素子を保持するホルダとを備える撮像素子ユニットであって、前記撮像素子は、厚さ方向の両側に形成された表面および裏面を有し扁平状に形成されたパッケージと、前記被写体像を撮像する撮像面が前記パッケージの前記表面に位置するように前記パッケージに収容保持された撮像部とを備え、前記パッケージは、前記表面および裏面を接続し互いに対向する側面を有し、前記パッケージの互いに対向する側面には接着剤充填用凹部が形成され、前記ホルダは、互いに対向する一対の壁部を有し、前記撮像素子は前記一対の壁部の間に前記パッケージの互いに対向する側面を臨ませて配置され、前記接着剤充填用凹部に充填された接着剤により前記パッケージの側面と前記一対の壁部とが接着されることにより固定されていることを特徴とする。
また本発明は、鏡筒の内部に設けられ被写体像を導く光学系と、前記光学系によって導かれる被写体像を撮像する撮像素子と該撮像素子を保持するホルダを有する撮像素子ユニットとを備えるレンズ鏡筒であって、前記撮像素子は、厚さ方向の両側に形成された表面および裏面を有し扁平状に形成されたパッケージと、前記被写体像を撮像する撮像面が前記パッケージの前記表面に位置するように前記パッケージに収容保持された撮像部とを備え、前記パッケージは、前記表面および裏面を接続し互いに対向する側面を有し、前記パッケージの互いに対向する側面には接着剤充填用凹部が形成され、前記ホルダは、互いに対向する一対の壁部を有し、前記撮像素子は前記一対の壁部の間に前記パッケージの互いに対向する側面を臨ませて配置され、前記接着剤充填用凹部に充填された接着剤により前記パッケージの側面と前記一対の壁部とが接着されることにより固定されていることを特徴とする。
また本発明は、鏡筒の内部に設けられ被写体像を導く光学系と、撮像素子ユニットとを備え、前記撮像素子ユニットは、前記光学系によって導かれる被写体像を撮像する撮像素子と、該撮像素子を保持するホルダとを含んで構成された撮像装置であって、前記撮像素子は、厚さ方向の両側に形成された表面および裏面を有し扁平状に形成されたパッケージと、前記被写体像を撮像する撮像面が前記パッケージの前記表面に位置するように前記パッケージに収容保持された撮像部とを備え、前記パッケージは、前記表面および裏面を接続し互いに対向する側面を有し、前記パッケージの互いに対向する側面には接着剤充填用凹部が形成され、前記ホルダは、互いに対向する一対の壁部を有し、前記撮像素子は前記一対の壁部の間に前記パッケージの互いに対向する側面を臨ませて配置され、前記接着剤充填用凹部に充填された接着剤により前記パッケージの側面と前記一対の壁部とが接着されることにより固定されていることを特徴とする。
【発明の効果】
【０００５】
そのため、本発明によれば、パッケージに接着剤充填用凹部を形成し、この接着剤充填用凹部を利用することで、接着剤によって接着されるパッケージの面積を確保することができ、パッケージの小型化に伴いパッケージの側面の面積が少なくなった場合であっても、撮像素子とホルダとの接着強度の向上を図る上で有利となり、撮像素子の接着強度を確保しつつレンズ鏡筒および撮像装置の小型化を図る上で有利となる。
【発明を実施するための最良の形態】
【０００６】
撮像素子のパッケージに接着剤充填用凹部を形成することによって上記目的を実現した。
【実施例１】
【０００７】
次に本発明の実施例１について図面を参照して説明する。
本実施例では、本発明の撮像素子ユニットが設けられたレンズ鏡筒が撮像装置に組み込まれている場合について説明する。
図１は実施例１の撮像装置を前方から見た斜視図、図２は実施例１の撮像装置を後方から見た斜視図、図３は実施例１の撮像装置を下方から見た斜視図、図４はメモリカードおよびバッテリーの収容状態を説明する説明図、図５は撮像装置の制御系を示すブロック図である。
図１、図２に示すように、撮像装置１００はデジタルスチルカメラであって、外装を構成する矩形板状のケース１０２を有し、ケース１０２は、前側ケース１０２Ａと後側ケース１０２Ｂとが合わせられて構成され、前側ケース１０２Ａによりケース１０２の前面が構成され、後側ケース１０２Ｂによりケース１０２の後面が構成されている。なお、本明細書においてケース１０２の左右はケース１０２を前方から見た状態でいうものとする。
ケース１０２の右側部には、図中二点鎖線で示すように、本発明に係るレンズ鏡筒１０が組み込まれており、レンズ鏡筒１０には、対物レンズ１４と、撮像素子１１と、対物レンズ１４で捉えた被写体像を撮像素子１１に導く光学系１０４などが設けられており、これら対物レンズ１４と光学系１０４によって特許請求の範囲の光学系が構成されている。
対物レンズ１４は前側ケース１０２Ａに設けられたレンズ窓１０３を介してケース１０２前方に臨んで配置されている。
ケース１０２の前面右寄りの箇所には、撮影補助光を出射するフラッシュ１０８、セルフタイマーランプ１１０などが設けられている。
ケース１２の前面にはカバー１１２が上下にスライド可能に設けられ、このカバー１１２は、図１に示すようにレンズ窓１０３、フラッシュ１０８、セルフタイマーランプ１１０を前方に露出させる下限位置と、これらレンズ窓１０３、フラッシュ１０８、セルフタイマーランプ１１０を覆う上限位置とにスライドされる。
ケース１２の上面の左寄り箇所には、シャッターボタン１１４、電源ボタン１１６などが設けられている。
ケース１２の後面には静止画および動画などの画像や文字や記号などが表示されるディスプレイ１１８（液晶表示器）、撮影光学系１０４のズーミング動作を行なわせるためのズームスイッチ１２０、各種操作を行なうための十字スイッチ１２２および複数の操作ボタン１２４が設けられている。
ケース１２の左側面には、撮像装置１００を静止画撮影モード、動画撮影モード、再生・編集モードなどに切り替えるためのモードスイッチ１２６が設けられている。
図３、図４に示すように、ケース１０２の下面には、静止画あるいは動画などの画像などを記録するためのメモリカード１３２を装脱可能に収容するメモリ収容室１０２Ａと、撮像装置１００の電源を構成するバッテリー１３８を装脱可能に収容するバッテリー収容室１０２Ｂとがケース１２の前後方向（厚さ方向）に並べて設けられている。これらメモリ収容室１０２Ａ、バッテリー収容室１０２Ｂはケース１０２の下面にヒンジを介して連結された開閉蓋１０２Ｃによって開閉される。
【０００８】
図５に示すように、撮像素子１１は、光学系１０４によって結像された被写体像を撮像するＣＣＤやＣＭＯＳセンサなどで構成されている。
撮像素子１１は画像処理部１３０から供給される駆動信号によって撮像動作を行なうとともに、該撮像素子１１で撮像した像を撮像信号として画像処理部１３０に出力するように構成され、本実施例では画像処理部１３０によって本発明の撮像回路が構成されている。
画像処理部１３０ではこの撮像信号に基づいて静止画あるいは動画の画像データが生成され、メモリカード（記憶媒体）１３２に記録される。また、前記画像データは表示処理部１３４によりディスプレイ１１８に表示される。
撮像素子１１で撮像された像は撮像信号として画像処理部１３０に出力され、画像処理部１３０ではこの撮像信号に基づいて静止画あるいは動画の画像データが生成され、メモリカード（記憶媒体）１３２に記録される。また、前記画像データは表示処理部１３４によりディスプレイ１１８に表示される。
さらに、撮像装置１００は、シャッターボタン１１４、十字スイッチ１２２、操作ボタン１２４、モードスイッチ１２６の操作に応じて、画像処理部１３０、表示処理部１３４を制御するＣＰＵなどを含む制御部１３６を備えている。
【０００９】
図６はレンズ鏡筒１０を斜め前方から見た斜視図、図７はレンズ鏡筒１０を斜め後方から見た斜視図、図８はレンズ鏡筒１０の一部の構成を示す分解斜視図、図９はレンズ鏡筒１０の残りの構成を示す分解斜視図、図１０は図６のＸＸ線断面図、図１１は図６のＹＹ線断面図、図１２はレンズ鏡筒１０の左側部分の断面斜視図、図１３はレンズ鏡筒１０の右側部分の断面斜視図、図１４は第１鏡筒分割体１２０２の横断面図、図１５は第２鏡筒分割体１２０４の横断面図、図１６はズーム用可動レンズ群１８、フォーカス用可動レンズ群２０の斜視図、図１７は第２鏡筒分割体１２０４の要部の断面斜視図である。
【００１０】
図６乃至図９に示すように、レンズ鏡筒１０は、鏡筒１２と、対物レンズ１４と、撮像素子１１と、光学系１０４とを含んで構成されている。
本実施例では、光学系１０４は、プリズム１６と、ズーム用可動レンズ群１８と、フォーカス用可動レンズ群２０と、第１の固定レンズ群２２と、第２の固定レンズ群２４と、第３の固定レンズ群２６と、ズーム用可動レンズ群１８用の案内機構２８と、フォーカス用可動レンズ群２０用の案内機構３０とを備えている。
さらに、ズーム用可動レンズ群１８を移動させる駆動手段３２と、フォーカス用可動レンズ群２０を移動させる駆動手段３４とが設けられている。
【００１１】
図６、図７に示すように、鏡筒１２は、全体として幅および長さ並びに厚さを有する平板形状を呈しており、対物レンズ１４と撮像素子１１と光学系１０４とは鏡筒１２の幅方向の中央部で鏡筒１２の長さ方向に沿って並べられて配置されている。
鏡筒１２は、長さ方向において分割された第１鏡筒分割体１２０２および第２鏡筒分割体１２０４と、これら２つの鏡筒分割体１２０２、１２０４の間に挟まれる第３鏡筒分割体１２０６とで構成され、鏡筒１２の長手方向の一方の半部に第１鏡筒分割体１２０２が位置し、鏡筒１２の長手方向方の他方の半部に第２鏡筒分割体１２０４が位置し、これら第１鏡筒分割体１２０２および第２鏡筒分割体１２０４の間に第３鏡筒分割体１２０８が介在されている。
なお、本実施例では、図１に示すように、鏡筒１２の長さ方向が上下方向に向けて配置されることから、鏡筒１２の上部に第１鏡筒分割体１２０２が位置し、鏡筒１２の下部に第２鏡筒分割体１２０４が位置し、鏡筒１２の上下方向の中央部に第３鏡筒分割体１２０８が位置している。そして、撮像装置１００のケース１０２の前面に平行する鏡筒１２の厚さ方向の一方の面が鏡筒１２の前面となり、ケース１０２の後面に平行する他方の面が鏡筒１２の後面となり、鏡筒１２の幅方向の一方の面が左側面となり、他方の面が右側面となる。また、本実施例では、これら第１、第２、第３鏡筒分割体１２０２、１２０４、１２０６は合成樹脂材料によって形成されている。
【００１２】
図８、図１０乃至図１３に示すように、第１鏡筒分割体１２０２の内部には、断面が矩形で下面に開放状の部品収容空間１２０２Ａが設けられており、対物レンズ１４はその前面側にレンズ押え１４０２が位置し後面側に遮光枠１４０４が位置した状態で、第１鏡筒分割体１２０２の前面の上部でかつ幅方向の中央部に取着されている。
プリズム１６は、対物レンズ１４で捉えた像を下部に向けて（撮像素子１１側に）反射させるもので本実施例ではプリズムが用いられている。プリズム１６は、部品収容空間１２０２Ａで対物レンズ１４に臨む箇所に配置されている。
第１の固定レンズ群２２とズーム用可動レンズ群１８とは、部品収容空間１２０２Ａ内でプリズム１６の下方に配置されている。
第１の固定レンズ群２２は、第１鏡筒分割体１２０２の取付部に組み込まれるレンズ２２０２と、このレンズ２２０２を前記取付部に固定させる押え部材２２０４（遮光枠を兼ねる）とで構成されている。
【００１３】
図８に示すように、ズーム用可動レンズ群１８は、第１のズームレンズ１８０２と、互いに貼り合わされた第２、第３のズームレンズ１８０４、１８０５と、これら第１、第２、第３のズームレンズ１８０２、１８０４、１８０５の外周部をカシメにより支持したズーム用レンズ枠１８０６とを有している。
図１４に示すように、鏡筒１２の厚さ方向の両端に位置する第１、第２、第３のズームレンズ１８０２、１８０４、１８０５の部分はそれぞれ切り取られ、これにより鏡筒１２の厚さ方向の端部に位置する第１、第２、第３のズームレンズ１８０２、１８０４、１８０５の両端には、鏡筒１２の前面および後面に平行して直線状に延在する縁部１８０８が設けられている。
ズーム用レンズ枠１８０６は、第１、第２、第３のズームレンズ１８０２、１８０４、１８０５の周囲に位置しこれら第１、第２、第３のズームレンズ１８０２、１８０４、１８０５を保持する保持部１８１０と、この保持部１８１０から部品収容空間１２０２Ａ内の幅方向に延在する延在部１８１２とを有している。
保持部１８１０には、第１、第２、第３のズームレンズ１８０２、１８０４、１８０５の縁部１８０８に対応して鏡筒１２の前面および後面に平行して延在する直線部１８１４がそれぞれ設けられている。
図１６に示すように、延在部１８１２には、ロッド挿通孔１８１４が設けられ、また、鏡筒１２の長手方向において互いに対向するフランジ１８１６、１８１６が設けられ、これらフランジ１８１６、１８１６には、図８に示すように、軸３６０２、３６０２を介して雌ねじ３６０４を有する雌ねじ部材３６が鏡筒１２の長手方向に移動不能に結合される。
また、延在部１８１２とは反対側に位置する保持部１８１０の箇所で部品収容空間１２０２Ａの隅部１２０２Ｂ（本実施例では左側面と後面とが交わる箇所）に位置する箇所に係合溝１８１８が形成されている。
【００１４】
ロッド挿通孔１８１４には、第１鏡筒分割体１２０２の長さ方向に延在する金属製のメインガイド軸３８が滑動可能に挿通されている。このメインガイド軸３８はその長さ方向の両端が第１鏡筒分割体１２０２の上面を構成する壁部と、第３鏡筒分割体１２０６の壁部とで支持されている。メインガイド軸３８は第１、第２、第３のズームレンズ１８０２、１８０４、１８０５の光軸と平行して延在しており、本実施例では第１鏡筒分割体１２０２の長さ方向に延在している。したがって、メインガイド軸３８はズーム用可動レンズ群１８を該ズーム用可動レンズ群１８の光軸方向に案内している。
係合溝１８１８には、第１鏡筒分割体１２０２の長さ方向に延在するサブガイド軸４０が滑動可能に挿通されている。したがって、サブガイド軸４０はズーム用レンズ１８がメインガイド軸３８の回りに回転することを阻止している。サブガイド軸４０は第１鏡筒分割体１２０２と一体に形成されており、したがって、合成樹脂製である。サブガイド軸４０は、詳細には、部品収容空間１２０２Ａの隅部１２０２Ｂから突出する脚部４００２と、この脚部４００２の先端に設けられた軸状部分４００４とで構成されている。サブガイド軸４０は第１、第２、第３のズームレンズ１８０２、１８０４、１８０５の光軸と平行して延在しており、本実施例では第１鏡筒分割体１２０２の長さ方向に延在している。
ズーム用可動レンズ群１８用の案内機構２８は、これらメインガイド軸３８とサブガイド軸４０によって構成されている。
【００１５】
図８、図１６に示すように、ズーム用可動レンズ群１８を移動させる駆動手段３２は、鏡筒１２の長さ方向に延在するホルダ３２０２と、ホルダ３２０２の上部に設けられたモータ３２０４と、ホルダ３２０２に沿って延在しモータ３２０４により回転駆動される雄ねじ部材３２０６とを有している。
ホルダ３２０２は第１鏡筒分割体１２０２の右側面の欠部に取着され、これにより雄ねじ部材３２０６が部品収容空間１２０２Ａに位置し、モータ３２０４は第１鏡筒分割体１２０２の上面に位置する。
雄ねじ部材３２０６は雌ねじ部材３６の雌ねじ３６０４に螺合され、したがってモータ３２０４の正逆転によりズーム用可動レンズ群１８はメインガイド軸３８およびサブガイド軸４０に案内されつつそれらの光軸方向に沿って往復移動され、ズーム動作がなされる。
本実施例では、図１４に示すように、ズーム用可動レンズ群１８とメインガイド軸３８と雄ねじ部材３２０６とが第１鏡筒分割体１２０２の内部で第１鏡筒分割体１２０２の幅方向に並べられて配置され、サブガイド軸４０はメインガイド軸３８および雄ねじ部材３２０６とは反対側に位置するズーム用レンズ枠１８０６箇所に配置されることになる。
【００１６】
図８に示すように、第３鏡筒分割体１２０６は、部品収容空間１２０２Ａ内に臨む内部部分１２０６Ａと、部品収容空間１２０２Ａ外に位置する外部部分１２０６Ｂとを有している。
第２の固定レンズ群２４は、その光軸をズーム用可動レンズ群１８の光軸と一致させて内部部分１２０６Ａに取着され、また、第２固定レンズ２４の後面にアイリス（絞り）４２が配置されている。このアイリス４２は、第３鏡筒分割体１２０６の外部部分１２０６Ｂに取着された駆動部４４により開閉される。
本実施例では、図１８に示すように、サブガイド軸４０は第１鏡筒分割体１２０２の下面よりも下方に突出され、より詳細には第１鏡筒分割体１２０２が第３鏡筒分割体１２０６に合わされる合わせ面よりも下方に突出され、このサブガイド軸４０の突出部分４０Ａが、第３鏡筒分割体１２０６の合わせ面の孔１２０６Ａに嵌合されることで第１鏡筒分割体１２０２と第３鏡筒分割体１２０６との位置決めがなされている。
なお、第１鏡筒分割体１２０２と第３鏡筒分割体１２０６とは図１４に示すように、前記駆動部４４近傍の箇所でねじ２０２により取着され、第２鏡筒分割体１２０４と第３鏡筒分割体１２０６とは図９に示すように、右側面寄りの箇所によりねじ２０４により取着されている。
【００１７】
第２鏡筒分割体１２０４の内部には、本実施例では、上下に開放された断面が矩形の部品収容空間１２０４Ａが形成されており、第２鏡筒分割体１２０４の下部に撮像素子取付用のホルダ４６および撮像素子１１が取着されることでこの部品収容空間１２０４Ａの下端は閉塞されている。したがって、本実施例では、第２鏡筒分割体１２０４はホルダ４６を含んで構成されている。
具体的には、図１０に示すように、第２鏡筒分割体１２０４の下部には撮像素子１１を配設するための撮像素子用取付部１２０５が設けられている。
撮像素子用取付部１２０５は、撮像素子１１を部品収容空間１２０４Ａに臨ませる開口１２０４Ｂと、この開口１２０４Ｂの周囲に設けられた取付座１２０４Ｅとを備えている。
本実施例では、撮像素子１１はホルダ４６により保持されて撮像素子ユニット５４が構成されており、この撮像素子ユニット５４が撮像素子用取付部１２０５に取付けられることで撮像素子１１が鏡筒１２に配設されている。
フォーカス用可動レンズ群２０と第３の固定レンズ群２６は、部品収容空間１２０４Ａ内で第２鏡筒分割体１２０４の幅方向中央に位置する箇所に配置されている。
【００１８】
フォーカス用可動レンズ群２０は、互いに貼り合わされた第１、第２のフォーカスレンズ２００２、２００４と、これら第１、第２のフォーカスレンズ２００２、２００４を支持するフォーカス用レンズ枠２００６とを有している。
図１５に示すように、鏡筒１２の厚さ方向の両端に位置する第１、第２のフォーカスレンズ２００２、２００４の部分はそれぞれ切り取られ、これにより鏡筒１２の厚さ方向の端部に位置する第１、第２のフォーカスレンズ２００２、２００４の両端には、鏡筒１２の前面および後面に平行して直線状に延在する縁部２００８が設けられている。
フォーカス用レンズ枠２００６は、第１、第２のフォーカスレンズ２００２、２００４の周囲に位置しこれら第１、第２のフォーカスレンズ２００２、２００４を保持する保持部２０１０と、この保持部２０１０から部品収容空間１２０４Ａ内の幅方向に延在する延在部２０１２とを有している。
保持部２０１０には、第１、第２のフォーカスレンズ２００２、２００４の縁部２００８に対応して鏡筒１２の前面および後面に平行して延在する直線部２０１４がそれぞれ設けられている。
延在部２０１２には、ロッド挿通孔２０１４が設けられ、また、図１６に示すように、鏡筒１２の長手方向において互いに対向するフランジ２０１６、２０１６が設けられ、これらフランジ２０１６、２０１６には、図９に示すように、軸４８０２、４８０２を介して雌ねじ４８０４を有する雌ねじ部材４８が鏡筒１２の長手方向に移動不能に結合される。
また、延在部２０１２とは反対側に位置する保持部２０１０の箇所で部品収容空間１２０４Ａの隅部１４０２Ｂ（本実施例では左側面と後面とが交わる箇所）に位置する箇所に係合溝２０１８が形成されている。
【００１９】
ロッド挿通孔２０１４には、第２鏡筒分割体１２０４の長さ方向に延在する金属製のメインガイド軸５０が滑動可能に挿通されている。このメインガイド軸５０はその長さ方向の両端が第３鏡筒分割体１２０６の壁部と、第２鏡筒分割体１２０４の下部に設けられた壁部とで支持されている。メインガイド軸５０は第１、第２のフォーカスレンズ２００２、２００４の光軸と平行して延在しており、本実施例では第２鏡筒分割体１２０４の長さ方向に延在している。したがって、メインガイド軸５０はフォーカス用可動レンズ群２０を該フォーカス用可動レンズ２８の光軸方向に案内している。
係合溝２０１８には、第２鏡筒分割体１２０４の長さ方向に延在するサブガイド軸５２が滑動可能に挿通されている。したがって、サブガイド軸５２はフォーカス用レンズ２０がメインガイド軸５０の回りに回転することを阻止している。サブガイド軸５２は第２鏡筒分割体１２０４と一体に形成されており、したがって、合成樹脂製である。サブガイド軸５２は、詳細には、部品収容空間１２０４Ａの隅部から突出する脚部５２０２と、この脚部５２０２の先端に設けられた軸状部分５２０４とで構成されている。サブガイド軸５２は第１、第２のフォーカスレンズ２００２、２００４の光軸と平行して延在しており、本実施例では第２鏡筒分割体１２０４の長さ方向に延在している。
フォーカス用可動レンズ群２０用の案内機構３０は、これらメインガイド軸３８とサブガイド軸４０によって構成されている。
なお、本実施の形態では、図１８に示すように、サブガイド軸５２は第２鏡筒分割体１２０４の上面よりも上方に突出され、より詳細には第２鏡筒分割体１２０４が第３鏡筒分割体１２０６に合わされる合わせ面よりも上方に突出され、このサブガイド軸５２の突出部分５２Ａが、第３鏡筒分割体１２０６の合わせ面の孔１２０６Ｂに嵌合されることで第２鏡筒分割体１２０４と第３鏡筒分割体１２０６の位置決めがなされている。
【００２０】
フォーカス用可動レンズ群２０を移動させる駆動手段３４は、鏡筒１２の長さ方向に延在するホルダ３４０２と、ホルダ３４０２の下部に設けられたモータ３４０４と、ホルダ３４０２に沿って延在しモータ３４０４により回転駆動される雄ねじ部材３４０６とを有している。
ホルダ３４０２は第２鏡筒分割体１２０４の右側面の欠部に取着され、これにより雄ねじ部材３４０６が部品収容空間１２０４Ａに位置し、モータ３４０４は第２鏡筒分割体１２０４の下部に位置する。
雄ねじ部材３４０６は雌ねじ部材４８の雌ねじ４８０４に螺合され、したがってモータ３４０４の正逆転によりフォーカス用可動レンズ群２０はメインガイド軸５０およびサブガイド軸５２に案内されつつそれらの光軸方向に沿って往復移動され、フォーカス動作がなされる。
したがって、本実施例では、フォーカス用可動レンズ群２０とメインガイド軸５０と雄ねじ部材３４０４とが第２鏡筒分割体１２０４の内部で第２鏡筒分割体１２０４の幅方向に並べられて配置され、サブガイド軸５２はメインガイド軸５０および雄ねじ部材３０６とは反対側に位置するフォーカス用レンズ枠２００６箇所に配置されることになる。
第３の固定レンズ群２６は、フォーカス用可動レンズ群２０の下方の部品収容空間１２０４Ａ箇所に配置され、第２鏡筒分割体１２０４の取付部に組み込まれる第３の固定レンズ群２６０２と、この第３の固定レンズ群２６０２を前記取付部に固定させる押え部材２６０４とで構成されている。
【００２１】
なお、図１１、図１２、図１３、図１７に示すように、部品収容空間１２０４Ａに臨む第２鏡筒分割体１２０４の後面箇所で第２鏡筒分割体１２０４Ａの上端と第２の固定レンズ群２４との間の箇所には凹凸部１２０４Ｃが設けられている。
また、部品収容空間１２０４Ａに臨む第２鏡筒分割体１２０４の後面箇所で第３の固定レンズ群２６と撮像素子１１との間の箇所には凹凸部１２０４Ｄが設けられている。
これらの凹凸部１２０４Ｃ、１２０４Ｄは、対物レンズ１４、プリズム１６、第１の固定レンズ群２２、ズーム用可動レンズ群１８、第２固定レンズ群２４、フォーカス用可動レンズ群２０を介して進入してきた光のうち、部品収容空間１２０４Ａに臨む第２鏡筒分割体１２０４の後面箇所に到達した光が該後面箇所で反射されることで、いわゆるフレアあるいはゴーストと呼ばれる反射光が発生し、この反射光が撮像素子１１の受光面に到達して撮像素子１１の撮像信号に対して悪影響を及ぼすことを防止するために設けられている。
なお、撮像素子１１から遠い箇所に設けられた凹凸部１２０４Ｃの凹凸の間隔に対して撮像素子１１から近い箇所に設けられた凹凸部１２０４Ｄの凹凸の間隔が大きく形成されている。これは、凹凸部１２０４Ｃに当たる前記光の角度に対して凹凸部１２０４Ｄに当たる前記光の角度がより小さいためであり、このように凹凸部１２０４Ｃ、１２０４Ｄの凹凸の間隔を変えることで、第２鏡筒分割体１２０４の成形時に金型からの取り外し性が向上される利点がある。
【００２２】
次に、撮像素子１１の取り付け構造について説明する。
図１９は撮像素子ユニット５４を上下反転させた状態で示す斜視図、図２０は撮像素子ユニット５４の断面図、図２１、図２２は撮像素子１１の接着剤充填用凹部の斜視図、図２３（Ａ）は撮像素子ユニット５４の接着箇所を示す側面図、（Ｂ）は（Ａ）の断面図、図２４（Ａ）は撮像素子ユニット５４の接着箇所を示す側面図、（Ｂ）は（Ａ）の断面図、図２５は撮像素子ユニット５４の接着箇所を示す断面図、図２６は撮像素子ユニット５４の分解斜視図である。
図１９、図２０に示すように、ホルダ４６は、撮像素子１１の撮像面１１１２を露出させる開口４６０４が設けられた本体部４６０２と、開口４６０４の両側の本体部４６０２箇所から突設され撮像素子１１のパッケージ１１０２の互いに対向する側面１１１０を挟む一対の壁部４６０６とを有している。
本体部４６０２は、その内側に開口４６０４が設けられた矩形枠状の板部４６０８を有している。
板部４６０８の表面４６１０には、第２鏡筒分割体１２０４への組み込み用の差込片４６１４が突設され、一対の壁部４６０６は板部４６０８の背面４６１２から互いに対向して突設されている。
一対の壁部４６０６には、該壁部４６０６の先端に開放状の切り欠き４６１６が該壁部４６０６の延在方向に間隔をおき複数形成されており、切り欠き４６１６は壁面４６０６Ａによって縁取られている。壁面４６０６Ａは、後述するように収納保持されるパッケージ１１０２の厚さ方向と交差する方向に延在し、本実施例ではパッケージ１１０２の厚さ方向と直交する方向に延在している。
各壁部４６０６を外側から挟む板部４６０８の両側部分には位置決め孔４６２０、ねじ挿通孔４６２２が設けられており、これら位置決め孔４６２０、ねじ挿通孔４６２２が設けられた板部４６０８部分によって取り付け部４６２４が構成されている。
【００２３】
図１９、図２０に示すように、撮像素子１１は、パッケージ１１０２と撮像部１１０４とを含んで構成されている。
パッケージ１１０２は、扁平な矩形板状（本実施例では長方形板状）を呈し、厚さ方向の両側に形成された表面１１０６および裏面１１０８と、表面１１０６および裏面１１０８の周囲を接続する４つの側面１１１０とを有している。パッケージ１１０２は本実施例では、セラミック材料が厚さ方向に積層されることで形成されている。
撮像部１１０４は、被写体像が導かれる（被写体像を撮像する）撮像面１１１２がパッケージ１１０２の表面１１０６に位置するようにパッケージ１１０２の内部に配置されて、板状のシールガラス１１１３によりパッケージ１１０２の内部に収容保持され、封止されている。
図１９、図２１に示すように、パッケージ１１０２の裏面１１０８で互いに対向する２組の２辺のうちの一組の辺とこの辺に続く１組の側面１１１０にわたり図中ハッチングで示すように複数の電極１１１４が形成されている。
側面１１１０には該側面１１１０の延在方向に間隔をおいて複数の電極形成用凹部１１１６が形成され、各電極１１１４は、パッケージ１１０２の裏面１１０８に施された導電性のメッキ層と、このメッキ層に接続するように各電極形成用凹部１１１６に施された導電性のメッキ層とで構成されている。
図１９、図２２に示すように、１組の側面１１１０には、接着剤充填用凹部１１１８がそれら側面１１１０の延在方向に間隔をおいて複数形成されている。
接着剤充填用凹部１１１８は、図２２に示すように、裏面１１０８から表面１１０６の手前まで延在する長さを有する第１凹部１１１８Ａと、図２１に示すように、裏面１１０８と表面１１０６との間で延在する長さを有する第２凹部１１１８Ｂとを含んでいる。
第１凹部１１１８Ａは、図２２、図２３に示すように、断面が半円形を呈し、裏面１１０８に開放状で、表面１１０６側に位置する長さ方向の端部に該第１凹部１１１８Ａを閉塞する壁面１１２０を有している。
壁面１１２０はパッケージ１１０２の厚さ方向と交差する方向に延在しており、本実施例では、パッケージ１１０２の厚さ方向と直交する方向に延在している。
第２凹部１１１８Ｂは、図２１、図２４に示すように、導電性のメッキ層が施されなかった電極形成用凹部１１１６の残りの部分で形成され、断面が半円形を呈し、表面１１０６側に位置する長さ方向の端部に該第２凹部１１１８Ｂを閉塞する壁面１１２０を有している。
なお、第１凹部１１１８Ａ及び第２凹部１１１８Ｂの各壁面１１２０はパッケージ１１０２の厚さ方向と交差する方向に延在しており、本実施例では、パッケージ１１０２の厚さ方向と直交する方向に延在している。このようにパッケージ１１１０の側面に接着剤充填用凹部１１１８のような凹部を形成することは、パッケージ１１０２がセラミック材料が積層されることで構成されているため極めて容易である。
そして、図２０に示すように、ケース１１０２の裏面１１０８には、撮像部１１１２と、前述した画像処理部１３０との間で前記駆動信号および撮像信号の授受を行なう配線部材としてのフレキシブル基板１２９が半田付けされている。
すなわち、撮像素子１１の各電極１１１４とフレキシブル基板１２９に形成された各電極１２９Ａ（図２５）とが例えばリフロー方式などによって半田付けされている。
フレキシブル基板１２９が撮像素子１１に臨む面(実装面)と反対側の背面には金属板６４が重ね合わされて接着剤などにより取着されている。
撮像素子１１とホルダ４６は、後述するように、撮像素子１１の撮像面１１１２がホルダ４６の開口４６０４に臨み接着剤充填用凹部１１１８に充填された接着剤によりパッケージ１１０２の側面とホルダ４６の壁部とが接着されることにより固定され、これにより撮像素子ユニット５４が組み立てられる。
【００２４】
また、撮像素子ユニット５４には、図２６に示すように、シールゴム５６、遮光シート５８、フィルタ６０が設けられている。
すなわち、ホルダ４６の表面４６１０の開口４６０４周囲に枠状のシールゴム５６が配設され、シールゴム５６の内側に撮像部１１０４に臨む空間５７が形成されている。
この空間５７を閉塞するようにシールゴム５６の上端に枠状の遮光シート５８を介して板状のフィルタ６０が配設されている。本実施例ではフィルタ６０はローパスフィルタによって構成されている。
フィルタ６０は、ホルダ４６に取着された押え部材６２により遮光シート５８を介してシールゴム５６の上端を押さえ付けるように配設されており、シールゴム５６はフィルタ６０により圧縮されている。押え部材６２は、該押え部材６２の係合溝６２０２にホルダ４６の係合爪４６３０が係合することでホルダ４６に取着されている。
したがって空間５７はシールゴム５６、遮光シート５８、フィルタ６０などにより閉塞され、塵埃などの侵入が防止されている。
【００２５】
次に、ホルダ４６を用いた撮像素子ユニット５４の組立について説明する。
まず、不図示の組立治具などを用いて撮像素子１１をホルダ４６に対して位置決めする。
すなわち、例えば、フレキシブル基板１２９に取着（半田付け）された撮像素子１１と、ホルダ４６とを不図示の組立治具に取付け、撮像素子１１のパッケージ１１０２の４辺に対してホルダ４６の板部４６０８の４辺をそれぞれ平行させつつパッケージ１１０２の表面１１０６の上方にホルダ４６を位置させ、撮像素子１１の撮像面１１１２をホルダ４６の開口４６０４に臨ませる。
この状態で、ホルダ４６の取り付け部４６２４を基準として撮像素子１１の位置、すなわちパッケージ１１０２の位置を調整する。具体的には、撮像素子ユニット５４が取り付け部４６２４を介して撮像素子用取付部１２０５に取付けられたときに、撮像部１１０４の撮像面１１１２の中心が前記光学系の光軸と一致し、かつ、該光軸と直交するように撮像素子１１の位置調整がなされる。このような位置調整は、所定のテストチャート（テストパターン）を撮像素子１１で撮像させ、該撮像素子１１から得られた撮像信号に基づいて生成された画像データに基づいて行なうことができる。
前記位置調整が完了したならば、図１９に示すように、位置調整がなされた撮像素子１１とホルダ４６とを反転させる。
本実施例では、この状態で、図２３、図２４に示すように、各接着剤充填用凹部１１１８（第１凹部１１１８Ａ、第２凹部１１１８Ｂ）は切り欠き４６１６の内側に位置しており、各接着剤充填用凹部１１１８は切り欠き４６１６を介して壁部４６０６の外側に露出している。
そして、図２５に示すように、接着剤充填用凹部１１１８とホルダ４６の各切り欠き４６１６を縁取る壁部４６０６の壁面４６０６Ａとにわたって、すなわち、第１凹部１１１８Ａと壁部４６０６の壁面４６０６Ａとにわたって、および、第２凹部１１１８Ｂと壁部４６０６の壁面４６０６Ａとにわたって、接着剤塗布用のシリンジなどによってＵＶ硬化型接着剤Ｓが充填される。なお、図中符号Ｈはフレキシブル基板１２９の電極１２９Ａと撮像素子１１の電極１１１４とを接続する半田を示す。
この際、切り欠き４６１６は、壁部４６０６の先端に開放状に形成されているため、反転させることにより各切り欠き４６１６は上方に開放状となることから、反転させた状態で接着作業を行うことでＵＶ硬化型接着剤Ｓの充填が容易かつ確実になされる。
ＵＶ硬化型接着剤Ｓは硬化前において粘性を有し半流動体状を呈しているので、充填されたＵＶ硬化型接着剤Ｓは各接着剤充填用凹部１１１８と各切り欠き４６１６を縁取る壁面４６０６Ａとの間に保持された状態となり、本実施例では、ＵＶ硬化型接着剤Ｓは、各接着剤充填用凹部１１１８の壁面１１２０と各切り欠き４６１６を縁取る壁面４６０６Ａとの間にも保持され、また、パッケージ１１０２の側面１１１０に臨む壁部４６０６の壁面とパッケージ１１０２の側面１１１０との間にも保持された状態となる。
次いで、各接着剤充填用凹部１１１８と各切り欠き４６１６を縁取る壁面４６０６Ａとの間に保持されたＵＶ硬化型接着剤Ｓに対して紫外線を照射し硬化させる。この際、各接着剤充填用凹部１１１８は、切り欠き４６１６を介してホルダ４６の壁部１１１０の外側に露出していること、また、図２５に示すように、パッケージ１１０２の側面１０とホルダ４６の壁部１１１０との間は上方に開放状に形成されていることから、充填されたＵＶ硬化型接着剤Ｓに対する紫外線の照射が容易かつ確実になされる。
これにより、撮像素子１１とホルダ４６は位置決めされた状態で接着される。
【００２６】
次に、このように撮像素子１１が接着されたホルダ４６に対してシールゴム５６、遮光シート５７、フィルタ６０、押え部材６２を組付ける。
すなわち、図２５に示すように、ホルダ４６の板部４６０８の表面４６１０の開口４６０４周囲に、枠状のシールゴム５６、シールゴム５６、遮光シート５８をこの順番で載置していき、次いで押え部材６２を板部４６０８に取着する。
このようにして撮像素子ユニット５４が組み立てられる。
【００２７】
鏡筒１２の撮像素子用取付部１２０５に対する撮像素子ユニット５４の取付は、鏡筒１２の開口１２０４Ｂにホルダ４６の差込片４６１４を挿入し、鏡筒１２の取付座１２０４Ｃに撮像素子ユニット５４の取り付け部４６２４を当接させ、ねじ挿通孔４６２２に挿通したねじを取り付け座１２０４Ｅのねじ孔に螺合し締結することによってなされる。
なお、撮像素子用取付部１２０５には不図示のノックピンが設けられており、鏡筒１２の開口１２０４Ｂにホルダ４６の差込片４６１４を挿入した状態で、前記ノックピンが取り付け部４６２４の位置決め孔４６２０に挿入されることで撮像素子ユニット５４の位置決めがなされるように構成されている。
【００２８】
本実施例によれば、撮像素子１１のパッケージ１１０２の互いに対向する側面１１１０に接着剤充填用凹部１１１８を形成し、撮像素子１１をホルダ４６に設けられた一対の壁部４６０６の間にパッケージ１１０２の互いに対向する側面１１０２を臨ませて配置し、接着剤充填用凹部１１１８に充填された接着剤Ｓによりパッケージ１１０２の側面１１１０と一対の壁部４６０６とを接着することにより固定した。
そのため、パッケージ１１０２に形成した接着剤充填用凹部１１１８を利用することで、接着剤Ｓによって接着される撮像素子１１のパッケージ１１０２の面積を確保することができ、パッケージ１１０２の小型化に伴いパッケージ１１０２の側面１１１０の面積が少なくなった場合であっても、撮像素子１１とホルダ４６との接着強度の向上を図る上で有利となり、撮像素子１１の接着強度を確保しつつレンズ鏡筒および撮像装置の小型化を図る上で有利となる。
このように撮像素子１１とホルダ４６との接着強度の向上を図ることによって、例えば、撮像素子１１とホルダ４６との熱膨張率の差に起因する温度クリープによる接着剤の剥がれなどを防止する上でも有利となる。
また、本実施例では、接着剤充填用凹部１１１８は、パッケージ１１０２の厚さ方向に延在する長さを有し、接着剤充填用凹部１１１８の長さ方向の両端のうち、少なくとも表面１１０６側に位置する端部に壁面１１２０が形成されることで接着剤充填用凹部１１１８の長さ方向の一端が閉塞されているので、撮像素子１１の厚さ方向において撮像素子１１とホルダ４６との間に互いに離間する方向の力が加わったとしても、接着剤Ｓが接着剤充填用凹部１１１８の壁面１１２０に接着されていることから、接着強度を向上する上でより有利となる。
また、本実施例では、撮像素子１１のパッケージ１１０２が長方形板状を呈し、その一組の短辺側に位置する側面１１１０に接着剤充填用凹部１１１８を設けるとともに、これら一組の側面１１１０を挟むようにホルダ４６の壁部４６１６を設け、短辺側に位置する側面１１１０の接着剤充填用凹部１１１８と一組の壁部４６１６との間を接着剤Ｓで接着する構成とした。
したがって、撮像素子１１の側面１１１０のうち長辺側に位置する一組の側面１１１０には接着剤Ｓを位置させるためのスペースを確保する必要がないため、撮像素子１１のパッケージ１１０２が占有する長辺と直交する方向（短辺方向）の寸法を縮小する上で有利となる。
このため、レンズ鏡筒の寸法のうち、撮像素子１１の短辺方向に沿った寸法を縮小することができ、レンズ鏡筒および撮像装置の小型化、薄型化を図る上で有利となる。
なお、実施例１では、電極形成用凹部１１１６のうち導電性のメッキ層が施された部分、すなわち電極１１１４に対して接着剤Ｓを充填しない場合について説明したが、この電極１１１４がフレキシブル基板１２９に対して半田付けされた状態で、電極形成用凹部１１１６のうちの電極部分１１１４に接着剤Ｓを充填して接着を行ってもよいことは無論である。
【実施例２】
【００２９】
次に実施例２について説明する。
実施例２が実施例１と異なるのは、撮像素子１１の接着剤充填用凹部１１１８の形状であり、他の構成は実施例１と同様である。
図２７は実施例２の撮像素子ユニット５４を上下反転させた状態で示す斜視図、図２８、図２９は撮像素子１１の接着剤充填用凹部の斜視図、図３０（Ａ）は撮像素子ユニット５４の接着箇所を示す側面図、（Ｂ）は（Ａ）の断面図、図３１（Ａ）は撮像素子ユニット５４の接着箇所を示す側面図、（Ｂ）は（Ａ）の断面図である。なお、以下では、実施例１と同様な箇所、部材に同一の符号を付して説明する。
図２７に示すように、実施例１と同様に、パッケージ１１０２は、扁平な長方形板状を呈し、厚さ方向の両側に形成された表面１１０６および裏面１１０８と、表面１１０６および裏面１１０８の周囲を接続する４つの側面１１１０とを有し、撮像部１１０４は、パッケージ１１０２の内部に収容保持されている。
図２７に示すように、パッケージ１１０２の裏面１１０８で互いに対向する２組の２辺のうちの一組の辺とこの辺に続く１組の側面１１１０にわたり、複数の電極１１１４が形成されている。
図２８に示すように、側面１１１０には複数の電極形成用凹部１１１６が形成され、各電極１１１４は、ハッチングで示すように、各電極形成用凹部１１１６のうち裏面１１０８寄りの箇所に埋め込まれた導電材料で構成されており、各電極１１１４は導電材料が埋め込まれて形成されていることから、実施例１と異なって、側面１１１０においては側面１１１０とほぼ同一面に位置し、裏面１１０８においては裏面１１０８とほぼ同一面に位置している。
１組の側面１１１０には、接着剤充填用凹部１１１８がそれら側面１１１０の延在方向に間隔をおいて複数形成されている。
接着剤充填用凹部１１１８は、図２８に示すように、裏面１１０８から表面１１０６の手前まで延在する長さを有する第１凹部１１１８Ａと、図２９に示すように、裏面１１０８と表面１１０６との間で延在する長さを有する第２凹部１１１８Ｂとを含んでいる。
【００３０】
第１凹部１１１８Ａは、図２９、図３０（Ａ）、（Ｂ）に示すように、断面が矩形を呈し、裏面１１０８に開放状で、表面１１０６側に位置する長さ方向の端部に該第１凹部１１１８Ａを閉塞する壁面１１２０を有している。
第２凹部１１１８Ｂは、図２８、図３１（Ａ）、（Ｂ）に示すように、導電材料が埋め込まれなかった電極形成用凹部１１１６の残りの部分で形成され、断面が矩形を呈し、表面１１０６側に位置する長さ方向の端部に該第２凹部１１１８Ｂを閉塞する壁面１１２０を有している。
なお、第１凹部１１１８Ａおよび第２凹部１１１８Ｂの壁面１１２０は、実施例１と同様に、パッケージ１１０２の厚さ方向と交差する方向に延在しており、実施例２でも、パッケージ１１０２の厚さ方向と直交する方向に延在している。
また、図示しないが、実施例１と同様に、ケース１１０２の裏面１１０８にフレキシブル基板１２９が半田付けされ、フレキシブル基板１２９の背面には金属板６４が重ね合わされて接着剤などにより取着されている。
実施例２においても、実施例１と同様に、図３０、図３１に示すように、各接着剤充填用凹部１１１８（第１凹部１１１８Ａ、第２凹部１１１８Ｂ）は切り欠き４６１６の内側に位置しており、各接着剤充填用凹部１１１８は切り欠き４６１６を介して壁部４６０６の外側に露出している。
【００３１】
撮像素子１１とホルダ４６の接着は、実施例１と同様に行われる。
すなわち、接着剤充填用凹部１１１８とホルダ４６の各切り欠き４６１６を縁取る壁部４６０６の壁面４６０６Ａとにわたって、すなわち、第１凹部１１１８Ａとにわたって、および、第２凹部１１１８Ｂと壁部４６０６の壁面４６０６Ａとにわたって、接着剤塗布用のシリンジなどによってＵＶ硬化型接着剤Ｓが充填される。
この際、切り欠き４６１６は、壁部４６０６の先端に開放状に形成されているため、反転させることにより各切り欠き４６１６は上方に開放状となることから、反転させた状態で接着作業を行うことでＵＶ硬化型接着剤Ｓの充填が容易かつ確実になされる。
ＵＶ硬化型接着剤Ｓは硬化前において粘性を有し半流動体状を呈しているので、充填されたＵＶ硬化型接着剤Ｓは各接着剤充填用凹部１１１８と各切り欠き４６１６を縁取る壁面４６０６Ａとの間に保持された状態となり、実施例２においても実施例１と同様に、ＵＶ硬化型接着剤Ｓは各接着剤充填用凹部１１１８の壁面１１２０と各切り欠き４６１６を縁取る壁面４６０６Ａとの間にも保持され、また、パッケージ１１０２の側面１１１０に臨む壁部４６０６の壁面とパッケージ１１０２の側面１１１０との間にも保持された状態となる。
次いで、各接着剤充填用凹部１１１８と各切り欠き４６１６を縁取る壁面４６０６Ａとの間に保持されたＵＶ硬化型接着剤Ｓに対して紫外線を照射し硬化させる。この際、各接着剤充填用凹部１１１８は、切り欠き４６１６を介してホルダ４６の壁部１１１０の外側に露出していること、また、パッケージ１１０２の側面１０とホルダ４６の壁部１１１０との間は上方に開放状に形成されていることから、充填されたＵＶ硬化型接着剤Ｓに対する紫外線の照射が容易かつ確実になされる。
これにより、撮像素子１１とホルダ４６は位置決めされた状態で接着され、これにより撮像素子ユニット５４が組み立てられる。
このような実施例２によっても実施例１と同様の作用効果が奏されることは無論である。
【実施例３】
【００３２】
次に実施例３について説明する。
実施例３が実施例１、２と異なるのは、撮像素子１１の接着剤充填用凹部１１１８の形状である。
図３２は実施例３の撮像素子ユニット５４を上下反転させた状態で示す斜視図、図３３（Ａ）は撮像素子ユニット５４の接着箇所を示す側面図、（Ｂ）は（Ａ）の断面図である。
図３２に示すように、実施例１と同様に、パッケージ１１０２は、扁平な長方形板状を呈し、厚さ方向の両側に形成された表面１１０６および裏面１１０８と、表面１１０６および裏面１１０８の周囲を接続する４つの側面１１１０とを有し、撮像部１１０４は、パッケージ１１０２の内部に収容保持されている。
また、実施例２と同様に、パッケージ１１０２の裏面１１０８で互いに対向する２組の２辺のうちの一組の辺とこの辺に続く１組の側面１１１０にわたり、複数の電極１１１４が形成されている。
図３２、図３３に示すように、パッケージ１１０２の互いに対向する２組の側面１１１０のうちの１組の側面１１１０には、接着剤充填用凹部１１４０がこの１組の側面１１１０の延在方向に沿って連続状に延在形成され、本実施例では、接着剤充填用凹部１１４０がこの１組の側面１１１０の延在方向の全域にわたって延在形成されている。図３３（Ａ）、（Ｂ）に示すように、接着剤充填用凹部１１４０は、パッケージ１１１０の表面１１０６側に位置する壁面１１４２と、裏面１１０８側に位置する壁面１１４４と、これら壁面１１４２、１１４４を接続する壁面１１４６との３つの壁面で構成されて、本実施例では、壁面１１４２、１１４４は側面１１１０と直交し、壁面１１４６は側面１１１０と平行している。
実施例３においても、実施例１、２と同様に、図３３に示すように、接着剤充填用凹部１１４０は切り欠き４６１６の内側を通る部分を有しており、切り欠き４６１６内において接着剤充填用凹部１１４０は外側に露出している。
【００３３】
撮像素子１１とホルダ４６の接着は次のように行われる。すなわち、接着剤充填用凹部１１４０とホルダ４６の各切り欠き４６１６を縁取る壁部４６０６の壁面４６０６Ａとにわたって、接着剤塗布用のシリンジなどによってＵＶ硬化型接着剤Ｓが充填される。
この際、切り欠き４６１６は、壁部４６０６の先端に開放状に形成されているため、反転させることにより各切り欠き４６１６は上方に開放状となることから、反転させた状態で接着作業を行うことでＵＶ硬化型接着剤Ｓの充填が容易かつ確実になされる。
ＵＶ硬化型接着剤Ｓは硬化前において粘性を有し半流動体状を呈しているので、充填されたＵＶ硬化型接着剤Ｓは各接着剤充填用凹部１１４０と各切り欠き４６１６を縁取る壁面４６０６Ａとの間に保持された状態となり、ＵＶ硬化型接着剤Ｓは各切り欠き４６１６内において、接着剤充填用凹部１１４０の壁面１１４２、１１４４、１１４６と各切り欠き４６１６を縁取る壁面４６０６Ａとの間に保持され、また、パッケージ１１０２の側面１１１０に臨む壁部４６０６の壁面とパッケージ１１０２の側面１１１０との間にも保持された状態となる。
次いで、接着剤充填用凹部１１１８と各切り欠き４６１６を縁取る壁面４６０６Ａとの間に保持されたＵＶ硬化型接着剤Ｓに対して紫外線を照射し硬化させる。この際、各接着剤充填用凹部１１４０は、切り欠き４６１６を介してホルダ４６の壁部１１１０の外側に露出していること、また、パッケージ１１０２の側面１０とホルダ４６の壁部１１１０との間は上方に開放状に形成されていることから、充填されたＵＶ硬化型接着剤Ｓに対する紫外線の照射が容易かつ確実になされる。
これにより、撮像素子１１とホルダ４６は位置決めされた状態で接着され、これにより撮像素子ユニット５４が組み立てられる。
このような実施例３によっても実施例１、２と同様の作用効果が奏されることは無論である。
【実施例４】
【００３４】
次に実施例４について説明する。
実施例３が実施例１、２、３と異なるのは、撮像素子１１の接着剤充填用凹部１１１８の形状である。
図３４は実施例４における撮像素子１１を上下反転させた状態で示す斜視図、図３５（Ａ）は撮像素子ユニット５４の接着箇所を示す側面図、（Ｂ）は（Ａ）の断面図である。
図３４に示すように、実施例１と同様に、パッケージ１１０２は、扁平な長方形板状を呈し、厚さ方向の両側に形成された表面１１０６および裏面１１０８と、表面１１０６および裏面１１０８の周囲を接続する４つの側面１１１０とを有し、撮像部１１０４は、パッケージ１１０２の内部に収容保持されている。
また、実施例２、３と同様に、パッケージ１１０２の裏面１１０８で互いに対向する２組の２辺のうちの一組の辺とこの辺に続く１組の側面１１１０にわたり、複数の電極１１１４が形成されている。
図３４、図３５に示すように、パッケージ１１０２の互いに対向する２組の側面１１１０のうちの１組の側面１１１０には、接着剤充填用凹部１１５０がこの１組の側面１１１０の延在方向およびその延在方向と直交する方向の双方に対して間隔をおいて複数個形成されている。
本実施例では、接着剤充填用凹部１１５０は、側面１１１０に開放された円柱状の空間で形成され、円筒面状の壁面１１５２と、壁面１１５２の奥部を接続する円形の壁面１１５４とを有している。
本実施例では、壁面１１５２は側面１１１０と直交し、壁面１１５４は側壁１１１０と平行している。
実施例４においても、実施例１〜３と同様に、図３５に示すように、接着剤充填用凹部１１５０は切り欠き４６１６の内側に位置しており、各接着剤充填用凹部１１５０は切り欠き４６１６を介して壁部４６０６の外側に露出している。
【００３５】
撮像素子１１とホルダ４６の接着は次のように行われる。すなわち、接着剤充填用凹部１１５０とホルダ４６の各切り欠き４６１６を縁取る壁部４６０６の壁面４６０６Ａとにわたって、接着剤塗布用のシリンジなどによってＵＶ硬化型接着剤Ｓが充填される。
この際、切り欠き４６１６は、壁部４６０６の先端に開放状に形成されているため、反転させることにより各切り欠き４６１６は上方に開放状となることから、反転させた状態で接着作業を行うことでＵＶ硬化型接着剤Ｓの充填が容易かつ確実になされる。
ＵＶ硬化型接着剤Ｓは硬化前において粘性を有し半流動体状を呈しているので、充填されたＵＶ硬化型接着剤Ｓは各接着剤充填用凹部１１４０と各切り欠き４６１６を縁取る壁面４６０６Ａとの間に保持された状態となり、ＵＶ硬化型接着剤Ｓは接着剤充填用凹部１１５０の壁面１１５２、１１５４と各切り欠き４６１６を縁取る壁面４６０６Ａとの間に保持され、また、パッケージ１１０２の側面１１１０に臨む壁部４６０６の壁面とパッケージ１１０２の側面１１１０との間にも保持された状態となる。
次いで、接着剤充填用凹部１１１８と各切り欠き４６１６を縁取る壁面４６０６Ａとの間に保持されたＵＶ硬化型接着剤Ｓに対して紫外線を照射し硬化させる。この際、各接着剤充填用凹部１１５０は、切り欠き４６１６を介してホルダ４６の壁部１１１０の外側に露出していること、また、パッケージ１１０２の側面１０とホルダ４６の壁部１１１０との間は上方に開放状に形成されていることから、充填されたＵＶ硬化型接着剤Ｓに対する紫外線の照射が容易かつ確実になされる。
これにより、撮像素子１１とホルダ４６は位置決めされた状態で接着され、これにより撮像素子ユニット５４が組み立てられる。
このような実施例４によっても実施例１〜３と同様の作用効果が奏されることは無論である。
【００３６】
なお、実施例では、ホルダ４６の一対の壁部４６０６に切り欠き４６１６が設けられ、切り欠き４６１６を介して接着剤充填用凹部１１１８、１１４０、１１５０を壁部４６０６の外側に露出させ、接着剤充填用凹部１１１８、１１４０、１１５０に充填された接着剤Ｓが接着剤充填用凹部１１１８、１１４０、１１５０から切り欠き４６１６を縁取る壁部４６０６の壁面４６０６Ａにわたって位置している場合について説明したが、本発明はこれに限定されるものではなく、次のような構成であってもよい。
例えば、図３６に示すように、パッケージ１１０２の互いに対向する側面１１１０に形成された接着剤充填用凹部１１６０の全域がホルダ４６の壁部４６０６に臨み、すなわち、接着剤充填用凹部１１６０が壁部４６０６の外側に露出しておらず、接着剤充填用凹部１１６０に充填された接着剤Ｓは、接着剤充填用凹部１１６０からホルダ４６の壁部４６０６にわたって位置しており、また、接着剤Ｓはパッケージ１１０２の側面１１１０に臨む壁部４６０６の壁面とパッケージ１１０２の側面１１１０との間にも保持されている。
あるいは、図３７に示すように、壁部４６０６が接着剤充填用凹部１１７０の長さ方向の中間部に位置し、接着剤充填用凹部１１７０の一部がホルダ４６の壁部４６０６に臨み、残りの一部が壁部４６０６の先端の外側に露出し、壁部４６０６は、その残りの一部に臨みパッケージ１１０２の厚さ方向と交差する方向に延在する壁面４６０６Ｂを有し、接着剤充填用凹部１１７０に充填された接着剤Ｓは、接着剤充填用凹部１１７０から壁面４６０６Ｂにわたって位置し、また、接着剤Ｓはパッケージ１１０２の側面１１１０に臨む壁部４６０６の壁面とパッケージ１１０２の側面１１１０との間にも保持されている。
また、図３８に示すように、壁部４６０６が接着剤充填用凹部１１８０の壁面１１８２とほぼ同じ高さに位置し、接着剤充填用凹部１１８０はホルダ４６の壁部４６０６の外側に露出し、壁部４６０６は、接着剤充填用凹部１１８０に臨みパッケージ１１０２の厚さ方向と交差する方向に延在する壁面４６０６Ｃを有し、接着剤充填用凹部１１８０に充填された接着剤Ｓは、接着剤充填用凹部１１８０から壁面４６０６Ｃにわたって位置し、また、接着剤Ｓはパッケージ１１０２の側面１１１０に臨む壁部４６０６の壁面とパッケージ１１０２の側面１１１０との間にも保持されている。
【００３７】
なお、本発明に係る撮像素子ユニット５４における撮像素子１１は、厚さ方向の両側に形成された表面１１０６および裏面１１０８を有し扁平状に形成されたパッケージ１１０２と、被写体像が導かれる撮像面１１１２がパッケージ１１０２の表面１１０６に位置するようにパッケージ１１０２に収容保持された撮像部１１０４とを備え、パッケージ１１０２が表面１１０６および裏面１１０８を接続し互いに対向する側面１１１０を有し、パッケージ１１０２の互いに対向する側面１１１０に接着剤充填用凹部が形成されたものであるということができる。
【００３８】
また、実施例では、接着剤ＳとしてＵＶ硬化型接着剤を用いた場合について説明したが、接着剤の種類はＵＶ硬化型接着剤に限定されるものではなく従来公知の様々な接着剤を用いることができる。
なお、本実施例においては、撮像装置としてデジタルスチルカメラを例示したが、本発明はビデオカメラやテレビカメラなど撮像装置に無論適用可能である。
【図面の簡単な説明】
【００３９】
【図１】実施例１の撮像装置を前方から見た斜視図である。
【図２】実施例１の撮像装置を後方から見た斜視図である。
【図３】実施例１の撮像装置を下方から見た斜視図である。
【図４】メモリカードおよびバッテリーの収容状態を説明する説明図である。
【図５】撮像装置の制御系を示すブロック図である。
【図６】レンズ鏡筒１０を斜め前方から見た斜視図である。
【図７】レンズ鏡筒１０を斜め後方から見た斜視図である。
【図８】レンズ鏡筒１０の一部の構成を示す分解斜視図である。
【図９】レンズ鏡筒１０の残りの構成を示す分解斜視図である。
【図１０】図６のＸＸ線断面図である。
【図１１】図６のＹＹ線断面図である。
【図１２】レンズ鏡筒１０の左側部分の断面斜視図である。
【図１３】レンズ鏡筒１０の右側部分の断面斜視図である。
【図１４】第１鏡筒分割体１２０２の横断面図である。
【図１５】第２鏡筒分割体１２０４の横断面図である。
【図１６】ズーム用可動レンズ群１８、フォーカス用可動レンズ群２０の斜視図である。
【図１７】第２鏡筒分割体１２０４の要部の断面斜視図である。
【図１８】第１鏡筒分割体１２０２、第２鏡筒分割体１２０４、第３鏡筒分割体１２０６の断面図である。
【図１９】撮像素子ユニット５４を上下反転させた状態で示す斜視図である。
【図２０】撮像素子ユニット５４の断面図である。
【図２１】撮像素子１１の接着剤充填用凹部の斜視図である。
【図２２】撮像素子１１の接着剤充填用凹部の斜視図である。
【図２３】（Ａ）は撮像素子ユニット５４の接着箇所を示す側面図、（Ｂ）は（Ａ）の断面図である。
【図２４】（Ａ）は撮像素子ユニット５４の接着箇所を示す側面図、（Ｂ）は（Ａ）の断面図である。
【図２５】撮像素子ユニット５４の接着箇所を示す断面図である。
【図２６】撮像素子ユニット５４の分解斜視図である。
【図２７】実施例２の撮像素子ユニット５４を上下反転させた状態で示す斜視図である。
【図２８】撮像素子１１の接着剤充填用凹部の斜視図である。
【図２９】撮像素子１１の接着剤充填用凹部の斜視図である。
【図３０】（Ａ）は撮像素子ユニット５４の接着箇所を示す側面図、（Ｂ）は（Ａ）の断面図である。
【図３１】（Ａ）は撮像素子ユニット５４の接着箇所を示す側面図、（Ｂ）は（Ａ）の断面図である。
【図３２】実施例３の撮像素子ユニット５４を上下反転させた状態で示す斜視図である。
【図３３】（Ａ）は撮像素子ユニット５４の接着箇所を示す側面図、（Ｂ）は（Ａ）の断面図である。
【図３４】実施例４における撮像素子１１を上下反転させた状態で示す斜視図である。
【図３５】（Ａ）は撮像素子ユニット５４の接着箇所を示す側面図、（Ｂ）は（Ａ）の断面図である。
【図３６】（Ａ）は変形例における撮像素子ユニット５４の接着箇所を示す側面図、（Ｂ）は（Ａ）の断面図である。
【図３７】（Ａ）は他の変形例における撮像素子ユニット５４の接着箇所を示す側面図、（Ｂ）は（Ａ）の断面図である。
【図３８】（Ａ）はさらに他の変形例における撮像素子ユニット５４の接着箇所を示す側面図、（Ｂ）は（Ａ）の断面図である。
【符号の説明】
【００４０】
１０……レンズ鏡筒、１１……撮像素子、１１０２……パッケージ、１１０４……撮像部、１１１０……側面、１１１８、１１４０、１１５０、１１６０、１１７０、１１８０……接着剤充填用凹部、４６……ホルダ、４６０６……一対の壁部、５４……撮像素子ユニット、１００……撮像装置。
【図１】
2006217310.tif 000003
【図２】
2006217310.tif 000004
【図３】
2006217310.tif 000005
【図４】
2006217310.tif 000006
【図５】
2006217310.tif 000007
【図６】
2006217310.tif 000008
【図７】
2006217310.tif 000009
【図８】
2006217310.tif 000010
【図９】
2006217310.tif 000011
【図１０】
2006217310.tif 000012
【図１１】
2006217310.tif 000013
【図１２】
2006217310.tif 000014
【図１３】
2006217310.tif 000015
【図１４】
2006217310.tif 000016
【図１５】
2006217310.tif 000017
【図１６】
2006217310.tif 000018
【図１７】
2006217310.tif 000019
【図１８】
2006217310.tif 000020
【図１９】
2006217310.tif 000021
【図２０】
2006217310.tif 000022
【図２１】
2006217310.tif 000023
【図２２】
2006217310.tif 000024
【図２３】
2006217310.tif 000025
【図２４】
2006217310.tif 000026
【図２５】
2006217310.tif 000027
【図２６】
2006217310.tif 000028
【図２７】
2006217310.tif 000029
【図２８】
2006217310.tif 000030
【図２９】
2006217310.tif 000031
【図３０】
2006217310.tif 000032
【図３１】
2006217310.tif 000033
【図３２】
2006217310.tif 000034
【図３３】
2006217310.tif 000035
【図３４】
2006217310.tif 000036
【図３５】
2006217310.tif 000037
【図３６】
2006217310.tif 000038
【図３７】
2006217310.tif 000039
【図３８】
2006217310.tif 000040